(57)【要約】【課題】着用者の体型に沿った形状でありながら、従来に比べて腹部を圧迫せず、腹部を支える部分がデザイン性に優れて外部から見え難くする必要が無く、これにより腹部を支える部分の形状や材質をより自由に選択して、膨出する腹部をよりしっかりと支えることができ、更に、マタニティウェアとしての機能的且つ特徴的部分の見栄えを良くして隠さないことにより、着用者が妊娠していることを自然にアピールできるマタニティウェアを提供する。【解決手段】ズボン１の腹部を略Ｕ字形の切り欠きライン９に沿って切り欠き、腹部を覆う腹部布２を脚部７を構成する布と同一の織物で構成するとともに、腹部布２が腹部に圧力をかけることの無い程度に腹部布２の周囲にギャザー５を設け、切り欠きライン９の下縁９ｂに沿って装着して腹部の下側を支える帯体３を下縁９ｂの両端に上下に幅を持たせて固定し、帯体３の表面を織物により構成する。【選択図】        図１
0003109414.tif 000002
【実用新案登録請求の範囲】
【請求項１】
少なくとも腰部から股下を着用範囲とするマタニティウェアにおいて、下向き円弧状の下縁及びこの下縁の両端より略垂直方向上側に延びる側縁からなる略Ｕ字形の切り欠き部を腹部に形成し、該切り欠き部を覆う腹部布及び切り欠き部の周囲を構成する布をいずれも同一の織物により構成するとともに、腹部布が腹部に圧力をかけることの無い程度に腹部布の周囲にギャザーを設け、切り欠き部の下縁に沿って装着することにより腹部の下側を支える一対の帯体を、該下縁の両端に上下に幅を持たせて固定し、該一対の帯体の長さは、互いに結び又は折り込むことにより連結固定できる長さとするとともに、帯体の表面を織物により構成することを特徴とするマタニティウェア。
【請求項２】
少なくとも腰部から股下を着用範囲とするマタニティウェアにおいて、腹部を下向き円弧状に切り欠いて覆わない切り欠き部を形成し、着用者の胴体を少なくとも１周して切り欠き部の縁に沿って装着することにより腹部の下側を支える帯体の長さを、その両端を互いに結び又は折り込むことにより連結固定できる長さとするとともに、帯体の表面を、皮革又は織物により構成することを特徴とするマタニティウェア。
【請求項３】
帯体を、スカーフ又は衣料用のベルトにより構成する請求項２記載のマタニティウェア。
【考案の詳細な説明】
【技術分野】
【０００１】
本考案は、少なくとも腰部から股下を着用範囲とし、妊娠に伴う腹部の膨出に適応するマタニティウェアに関するものである。
【背景技術】
【０００２】
従来より、少なくとも腰部から股下を着用範囲とし、妊婦が着用するマタニティウェアとしては、膨出する腹部を圧迫しないものとして、ジャンバースカートやサロペットといった体のラインを出さないものが一般的であり、他にバリエーションがあまりなかった。しかし近年、膨出する腹部の圧迫を軽減しつつ、従来よりも体のラインに沿うマタニティウェアが提案されており、例えば以下の特許文献において示されるように、膨出する腹部にあたる部分を、他の主用部分を構成する布よりも伸縮性に富むよう、編物などの伸縮性の布で覆う構成が知られている。
【特許文献１】特開２００２−３２７３１１号公報
【０００３】
図１０に示すように、特許文献１においては、マタニティウェアの腹部を覆う部分を編物地部分６１として、妊婦の腹部の膨出に合わせて、編物地部分６１が膨出するようにした構成が示されている。
【０００４】
ところで、妊婦の腹部は妊娠が進むにつれてどんどん大きくなるとともに重くなり、腰に負担がかかって腰痛などを引き起こすことが多いことから、腹部の圧迫を軽減するとともに腹部の重みを支えるマタニティウェアが、以下の特許文献において示されている。
【特許文献２】特開平１１−３２３６０９号公報
【０００５】
図１１、１２に示すように、マタニティウェアの１種であるマタニティパンティストッキング３００は、パンティ部６０Ａの膨出する腹部に対応する前側のウエスト部６１ａから股部６２にかける部分を区画して、該区画部６３を別体の編地片８３で形成している。該編地片８３は、タックリブ編みできつく（高密度に）編んで比較的伸びにくくした略Ｕ字の周縁部８１を設けると共に、該周縁部８１の内側部分８２はプレーン編みで緩く（低密度に）編み、周縁部８１と連続する部分にギャザー８２ａを形成して内側部分８２を前方へ膨出させると共に縦伸びし易くしている。
【０００６】
また、右半身編物２００Ａと左半身編物２００Ｂの区画部６３の両脇から後側のウエスト部下の腰部に当たる領域８４を縦伸びしにくくし、主として横方向に伸縮性を持たせたタックリブ編みの編地で形成している。
【０００７】
このように、区画部６３の編地片８３の内側部分８２をギャザー８２ａにより大きく膨出させ、かつ、縦伸びし易くしているので、妊娠後期の妊婦の膨出量が極めて大きい腹部をゆとりをもって包み込むことができるとしている。
【０００８】
また、高密度に編んで比較的伸びにくくした略Ｕ字の周縁部８１が膨出した腹部の下縁周囲部を下から支えると共に、区画部６３（編地片８３）の両脇から後側のウエスト部下の腰部に当たる領域８４を縦伸びしにくく主として横方向に伸縮性をもたせたリブ編みで形成しているので、膨出してくる腹部を包み込んだ区画部６３（編地片８３）を両脇から引っ張って支えた状態となり、腹部を支える腰の負担を軽減することができる。
【０００９】
ところで、膨出した腹部をよりしっかりと支える補助服帯を備えるマタニティウェアが、特許文献２において示されている。
【特許文献３】実開平０７−６２１６号公報
【００１０】
これは、図１３に示すように、マタニティウェアの１種である下着であって、伸縮性布からなる左右一対のガードル本体布１２を縫着して、前部側に両脇部近傍から恥骨位置近傍まで略Ｕ形状に切り欠かれたカット部を形成し、該カット部に伸縮性の腹部布２０を縫着すると共に、股部ではマチ布１５を左右ガードル本体布１２に縫着しているガードル本体１０と、補助腹帯１１とにより構成する。
【００１１】
補助腹帯１１は図１４に示すように、伸縮性布を２枚重ねとした前側帯部２１の左右両端に、伸びの低い伸縮性布の表面側全面にベルベット式ファスナーからなる雌係合布を取り付けた後側支持帯部２２、２３を、先端が上方傾斜するように縫着し、一方の後側支持帯部の裏面先端に雄係合布３０を取り付けている。
【００１２】
この補助腹帯１１の前側帯部２１を上記ガードル１０の腹部布２０の下端縁に沿って巻き付け、後側支持帯部２２、２３の雌雄係合布を背面側において任意の位置で係合して取り付け、補助腹帯１１とガードル１０とを組み合わせ自在に着用可としている。
【考案の開示】
【考案が解決しようとする課題】
【００１３】
これらの特許文献に示されるマタニティウェアに代表されるように、従来のマタニティウェアは、腹部を覆う部分を編物等の伸縮性の布により構成しているが、このような構成は腹部の圧迫を軽減するという点には配慮しているものの、伸縮性の布の部分の見栄えが悪いという問題があった。
【００１４】
例えば特許文献２のマタニティウェアでは、全体を編物で構成しているものの、部分的に編み方を変えていることが一目瞭然であり、見栄えが悪い。このように、特に腹部を覆う部分のみを伸縮性大とする構成は見栄えが悪いことから、特許文献２、３に示すように、パンティストッキングやガードル等の下着とすることが一般的である。
【００１５】
また、特許文献１に示すように、腹部を覆う部分のみに伸縮性に富む布として編物地を配置する構成を下着以外の衣類に適用する場合であっても、編物地の部分が他の部分から浮いた感じとなって見栄えが悪いため、着こなしの際には編物地を配置した腹部を覆うように、裾丈の長い衣類を上半身に組み合わせて着用することが一般的である。
【００１６】
なお、そもそも、腹部を覆う部分のみを特に伸縮性に富むよう編物地で構成する場合のみならず、腹部を含む全体を編物で構成する衣服自体、体のラインに沿うと雖も、見る人に引き締まった印象を与えることが無いため、下着や部屋着などの人目に触れないものとすることが一般的である。
【００１７】
また、腹部に伸縮性の布を配置する場合、この伸縮性の布は腹部の膨らみによって押し広げることを前提にするものであるから、例え特許文献１のように腹部を覆う伸縮性の布の周辺部にギャザーを入れたとしても、腹部が伸縮性の布を押し広げる際に多少なりとも腹部に圧力がかかってしまう。
【００１８】
また、特許文献２、３に示すように、膨出する腹部を下から支える場合には、腹部を覆う伸縮性の布の下縁に比較的伸びにくくした周縁部を形成したり、下腹部に補助腹帯を設けたりしているが、これらはベルベット式ファスナーが剥き出しになっていたり、腹部を覆う伸縮性の布と周縁部との切り変え部分が剥き出しになっているなど、更に見栄えが悪いものとなっており、そのため、その適用範囲は下着に限られたものとなっている。そして、これら周縁部や補助腹帯等は下着の一部であるから、上から服を着た際に外部から目立たないようにするため、その形状や材質が制限される。これはすなわち、形状や材質の制限により、膨出する腹部を支えるために充分な機能を発揮できないことを意味する。
【００１９】
また、前記周縁部や補助腹帯等や、腹部を覆う伸縮性の布は、妊娠により膨出する腹部を下から支えたり、腹部の膨出に合わせて膨らむ部分であり、これらの部分はマタニティウェアとしての機能的部分であるとともに特徴的部分であって、着用する人間が妊娠していることを周囲の人々に知らしめることができるものである。しかし、このような特徴的部分の見栄えが悪いという理由で、これらの特徴的部分を隠すと、マタニティウェアを着用していても周囲の人々に妊娠していることを気づいてもらえず、妊娠による体調不良など周囲の配慮が必要となった場合でも、周囲の協力を得難いという問題があった。
【００２０】
また、本来妊娠自体は隠すべきものでもないが、マタニティウェアの特徴的部分を隠すということは、マタニティウェアを着用する妊婦の妊娠そのものを隠すことにつながり、その結果、マタニティウェアを着用する妊婦が、自分が妊婦であることに自信が持てなくなり、快適な生活を送ることができないという問題も生じていた。
【００２１】
また、ジャンパースカートやサロペットといった体のラインを出さないタイプの従来のマタニティウェアは腹部を圧迫するものではないが、膨出する腹部を下から支えるという機能を有するものではなく、また、体のラインに沿わないから、全体がぶかぶかして妊婦が単に太っているようにも見えるなど、見栄えが悪い上に、着用者が妊娠していることを自然にアピールできるものではなかった。
【００２２】
本考案の目的は前記従来例の不都合を解消し、着用者の体型に沿った形状でありながら、従来に比べて腹部を圧迫せずに腹部の負担を軽減するとともに、腹部を支える部分がデザイン性に優れて外部から見え難くする必要が無く、これにより腹部を支える部分の形状や材質をより自由に選択して、膨出する腹部をよりしっかりと支えることができ、更に、マタニティウェアとしての機能的且つ特徴的部分の見栄えを良くして隠さないことにより、着用者が妊娠していることを自然にアピールできるマタニティウェアを提供することにある。
【課題を解決するための手段】
【００２３】
本考案は前記目的を達成するため、請求項１記載の考案は、少なくとも腰部から股下を着用範囲とするマタニティウェアにおいて、下向き円弧状の下縁及びこの下縁の両端より略垂直方向上側に延びる側縁からなる略Ｕ字形の切り欠き部を腹部に形成し、該切り欠き部を覆う腹部布及び切り欠き部の周囲を構成する布をいずれも同一の織物により構成するとともに、腹部布が腹部に圧力をかけることの無い程度に腹部布の周囲にギャザーを設け、切り欠き部の下縁に沿って装着することにより腹部の下側を支える一対の帯体を、該下縁の両端に上下に幅を持たせて固定し、該一対の帯体の長さは、互いに結び又は折り込むことにより連結固定できる長さとするとともに、帯体の表面を織物により構成することを要旨とするものである。
【００２４】
請求項１記載の本考案によれば、腹部に形成する略Ｕ字形の切り欠き部を覆う腹部布が腹部に圧力をかけることの無い程度に該布の周囲にギャザーを設けるようにしたから、着用者の体型に沿う形状を維持しつつ、腹部を全く圧迫せずに腹部に負担をかけることがない。
【００２５】
また、腹部布及び切り欠き部の周囲を構成する布をいずれも同一の織物により構成するようにしたから、腹部を覆う部分が周囲の部分から浮いた感じとならず見栄えが良く、更に、見る人に対して全体的に引き締まった印象を与えることができて、下着や部屋着としてではなく積極的に外出着として使用できる。
【００２６】
そして更に、腹部の下側を支える帯体をこの切り欠き部の下縁に沿って装着できるよう、下縁の両端に上下に幅を持たせて固定するようにしたから、マタニティウェアの前面に位置して人目につきやすい切り欠き部の下縁を帯体により覆い隠すことができて更に見栄えが良い。
【００２７】
そして、腹部の下側を支える帯体の表面を、織物という見栄えの良い素材により構成するようにしたから、帯体自身をデザイン性に優れたものとすることができ、帯体を目立たないものとする必要がない。これにより、帯体の芯となる部分の形状や材質を目立たないものに制限する必要もなくなり、膨出する腹部をよりしっかりと支えることができる形状や材質に設定することができる。
【００２８】
更に、下縁の両端に固定する一対の帯体の長さを、互いに結び又は折り込むことにより連結固定できる長さとしたから、着用者である妊婦がその時々の気分や体調に合わせて、左右の帯体の結び方や折り込み方を自由に変えて、帯体の位置やきつさを調節して、着用者にとって丁度良い状態でしっかりと下腹部を支えることができるとともに、様様なバリエーションの結び方や折り込み方を楽しむことができる。
【００２９】
そして、腹部を圧迫しないための切り欠き部や、腹部を下から支えるための帯体はマタニティウェアとしての機能的部分であるとともに、マタニティウェアとしての特徴的部分でもあるが、これらの部分を見栄え良くすることにより、マタニティウェアとしての特徴的部分を隠さずに露呈して、本考案のマタニティウェアの着用者が妊娠していることを自然にアピールすることができる。
【００３０】
請求項２記載の考案は、少なくとも腰部から股下を着用範囲とするマタニティウェアにおいて、腹部を下向き円弧状に切り欠いて覆わない切り欠き部を形成し、着用者の胴体を少なくとも１周して切り欠き部の縁に沿って装着することにより腹部の下側を支える帯体の長さを、その両端を互いに結び又は折り込むことにより連結固定できる長さとするとともに、帯体の表面を、皮革又は織物により構成することを要旨とするものである。
【００３１】
請求項２記載の本考案によれば、腹部を下向き円弧状に切り欠いて覆わないようにしたから、マタニティウェア全体として余分な余裕を持たせる必要が無く、特に編物地を使用せずとも着用者の体型に沿う形状を維持できるとともに、腹部を全く圧迫せずに腹部に負担をかけることがない。
【００３２】
また、着用者の胴体を少なくとも１周して切り欠き部の縁に沿って装着することにより腹部の下側を支える帯体の長さを、その両端を互いに結び又は折り込むことにより連結固定できる長さとしたから、マタニティウェアの前面に位置して人目につきやすい切り欠き部の下縁を帯体により覆い隠して見栄えを良くしつつ、着用者である妊婦がその時々の気分や体調に合わせて、左右の帯体の結び方や折り込み方を自由に変えて、帯体の位置やきつさを調節して、着用者にとって丁度良い状態でしっかりと下腹部を支えることができる。また、この帯体で様様なバリエーションの結び方や折り込み方を楽しむことができる。
【００３３】
更に、腹部の下側を支える帯体の表面を、皮革又は織物という見栄えの良い素材により構成するようにしたから、帯体自身をデザイン性に優れたものとすることができ、帯体を目立たないものとする必要がない。これにより、帯体の芯となる部分の形状や材質を目立たないものに制限する必要もなくなり、膨出する腹部をよりしっかりと支えることができる形状や材質に設定することができる。なお、皮革には、天然皮革の他、人工の合成皮革も含む。
【００３４】
そして、腹部を圧迫しないための切り欠き部や、腹部を下から支えるための帯体はマタニティウェアとしての機能的部分であるとともに、マタニティウェアとしての特徴的部分でもあるが、これらの部分を見栄え良くすることにより、マタニティウェアとしての特徴的部分を隠さずに露呈して、本考案のマタニティウェアの着用者が妊娠していることを自然にアピールすることができる。
【００３５】
請求項３記載の考案は、帯体を、スカーフ又は衣料用のベルトにより構成することを要旨とするものである。
【００３６】
請求項３記載の本考案によれば、バラエティに富むデザインのものが数多く市販されているスカーフや衣料用のベルトにより帯体を構成するようにしたから、帯体を別途設計・製作しなくても、このようなスカーフやベルトを組み合わせて装着することにより、デザイン性に優れるマタニティウェアを手軽に実現することができる。
【考案の効果】
【００３７】
本考案のマタニティウェアは、着用者の体型に沿った形状でありながら、従来に比べて腹部を圧迫せずに腹部の負担を軽減するとともに、腹部を支える部分がデザイン性に優れて外部から見え難くする必要が無く、これにより腹部を支える部分の形状や材質をより自由に選択して、膨出する腹部をよりしっかりと支えることができ、更に、マタニティウェアとしての機能的且つ特徴的部分の見栄えを良くして隠さないことにより、着用者が妊娠していることを自然にアピールできる。
【考案を実施するための最良の形態】
【００３８】
以下、図面について本考案の実施形態を詳細に説明する。図１は本考案のマタニティウェアの第１実施形態であるズボンを示す全体正面図である。図１に示すように、ズボン１は通常のズボンと同様、ウエスト部６と、その下に位置する脚部７とを基本構成として、腰部から股下を含んで脚部までを着用範囲とするものであるが、腹部を略Ｕ字形の切り欠きライン９に沿って切り欠き、切り欠いた部分（切り欠き部）を腹部布２で覆い、更に両側面に帯体３を取り付ける。
【００３９】
図１の帯体３を省略して示す側面図である図２にも示すように、切り欠きライン９は、ズボン１の左右両側に存在する脇線７ａ上に位置する略垂直な側縁９ａと、下向きに円弧を描きながら両側縁９ａの下端を結ぶ下縁９ｂとからなる略Ｕ字形に、ズボン１の腹部を切り欠いて形成する。これにより、ズボン１の脚部７の前面上端は円弧状に切りか欠かれた状態となり、背面上端は通常のズボンと同様にウエスト部６の下端を縫いつけた状態となる。
【００４０】
そして、切り欠きライン９とウエスト部６とによって囲まれる部分に腹部布２を配置し、切り欠きライン９に沿ってギャザー５を入れながら脚部７上端に腹部布２の下縁及び側縁を縫い付けるとともに、腹部布２の上縁をウエスト部６の下端に縫い付ける。妊婦の腹部の膨出量は妊娠週数により変化し、また、個人差も大きいものであるから、このとき入れるギャザー５の量は、ズボン１を着用する妊婦の腹部の膨出量に合わせて、腹部の膨出量と同程度かそれ以上腹部布２が前面に膨出する程度に設定する。
【００４１】
なお、ウエスト部６は、例えば周囲の長さに十分な余裕を持たせた布を袋状に縫い合わせ、その中に太幅のゴムを通して構成するものであり、ウエスト部６が妊婦の腹部の膨出する部分にかかって圧迫しないよう、股上の長さを大きく設定する。また、腹部布２はウエスト部６及び脚部７を構成する布と同一の布とし、例えば、平織りの綿布により構成する。
【００４２】
帯体３は、ズボン１の両側面の脇線７ａ上の帯体取り付け部８（図２において太線で示す）に、脚部７を構成する前面の布と背面の布との間に挟んで、脇線７ａを縫い上げる際に同時に縫い付けて設ける。帯体取り付け部８は、帯体３を取り付けてズボン１を着用する際に、帯体３が切り欠きライン９の下縁９ｂ上に位置して下縁９ｂを覆うよう、下縁９ｂの両端より上下に幅を持つ長さとする。
【００４３】
帯体３は、例えば柔軟性のある薄板状の芯材４を包むようにして、平織りのポリエステル製の布を袋状に縫い合わせて構成する。なお、帯体３の取り付け角度は、帯体３が切り欠きライン９の下縁９ｂに沿って下縁９ｂを自然に覆うことができるよう、やや下向きにする。また、芯材４の長さは、左右の帯体３を中央で結ぶ際に邪魔にならない程度に短めに設定するとともに、更に扱い易いように端を丸く面取りする。
【００４４】
このズボン１を妊婦が着用した状態を図３に示す。ズボン１の着用の際には、通常のズボンと同様に履いた後、左右の帯体３で切り欠きライン９の下縁９ｂを覆いながら両帯体３を中央で結ぶ。これにより、帯体３は、切り欠きライン９の下縁９ｂを通って妊婦の下腹部を下から覆った状態で、その左右両端がズボン１の側面に固定された状態となるから、帯体３によって妊婦の膨出した腹部を下から支えることができる。
【００４５】
なお、帯体３に入れる芯材は、全体として同一幅の平板状としたが、芯材を覆う布を、艶などの面において不織布や編物等よりも優れる織布により構成したから、帯体３の見栄えを良くして、帯体３そのものをデザインの一部として積極的に見せる事ができる。例えば、帯体３の結び方は図３においてはリボン結びとしたが、帯体３は、その結び方をアレンジすることによっても様様な雰囲気を演出して楽しむことができるものである。
【００４６】
このように、積極的に見せるものとして構成する帯体３の芯材４について、その幅や厚みなどの形状や、材質を適宜選択することにより、下腹部をよりしっかりと支える機能性を追及しながら、デザイン的にもバリエーションを持たせることができる。
【００４７】
また、腹部布２は脚部７やウエスト部６を構成する布と同じ織物で構成しており、織物は伸縮性が優れるものではないが、腹部布２の膨出量が妊婦の腹部の膨出量よりも大きくなるようギャザー５を多く入れるようにしたから、妊婦の腹部には全く圧力がかからず、腹部布２により妊婦の腹部が圧迫されることがない。
【００４８】
そして、腹部布２を脚部７やウエスト部６を構成する布と同じ織物で構成したから、腹部布２だけがズボン１全体の中で浮いてしまうことがなく、見栄えを良いものとすることができる。
【００４９】
また、ズボン１は、腹部以外の部分に特に余分な余裕を持たせなくとも、腹部に対応する部分を膨出させるようにしたから、妊婦の体のラインに沿った形状となり、妊婦が実際よりも太って見えるなど見栄えが悪くなることもなく、マタニティウェアの特徴的部分である帯体３の存在と合わせて、ズボン１の着用者が妊娠していることを周囲の人々に自然にアピールすることができる。
【００５０】
図４は本考案のマタニティウェアの第２実施形態であるイブニングドレスを示す全体正面図である。図４に示すイブニングドレス１７は、頭部及び手足の先を除いて腰部から股下を含む全身を着用範囲とし、上半身部分と下半身部分が一体となった長袖のワンピースである。
【００５１】
このイブニングドレス１７も前記第１実施例同様に、腹部に略Ｕ字形の切り欠きライン９を設けて、腹部布２を配置するようにしているが、特にウエスト部に切り替えの無いワンピースであるから、腹部布２をそのまま上の方まで延ばして、イブニングドレス１７の上半身胴部１６の一部を構成している。
【００５２】
腹部布２を含む上半身胴部１６、袖部１３、脚部１４、及び帯体３は、いずれも絹織物で構成する。また、切り欠きライン９は前記第１実施例同様、両側面の脇線上に位置する側縁９ａと、両側縁９ａの下端を結ぶ下向き円弧状の下縁９ｂとからなるが、腹部布２の上部が上半身胴部１６の一部となることから、側縁９ａの上端は脇下まで達する。
【００５３】
また、イブニングドレス１７は、袖部１３を除いて前身ごろと後ろ身ごろを側面で縫い合わせて構成するものであり、腹部布２にギャザー５を入れながら脚部１４及び後ろ身ごろ（不図示）に縫い合わせる際、イブニングドレス１７を着用する妊婦の腹部の膨出量に合わせてギャザー５の量を調整することは前記第１実施例と同様であるが、イブニングドレス１７の立体的なラインを出すために、切り欠きライン９の側縁９ａの上の方まで、適宜ギャザーを入れるようにしても良い。
【００５４】
帯体３を取り付ける位置も、前記第１実施例同様、切り欠きライン９の下縁９ｂの両端に、脇線に沿って上下に幅を持たせた位置に縫い対けるようにするが、帯体３を構成する絹織物を重ねるなどして生地の厚みを増すことにより、内部に入れる芯材を省略してもよい。
【００５５】
また、本実施例では帯体３と他の部分との統一感を出すため、帯体３も他の部分と同様に絹織物で構成することとしたが、帯体３の幅や厚みや材質を適宜選択することにより、帯体３の強度を、イブニングドレス１７を着用する妊婦の腹部の膨出量に合わせたものとすることができる。
【００５６】
また、帯体３はイブニングドレス１７のデザインの一部でもあることから、このように帯体３の幅や厚みや材質を変更して、下腹部をよりしっかりと支える機能性を追及しながら、デザイン的にもバリエーションを持たせることができる。
【００５７】
このイブニングドレス１７を妊婦が着用した状態を図５に示す。イブニングドレス１７の着用の際には、通常のイブニングドレスと同様に着用した後、左右の帯体３で切り欠きライン９の下縁９ｂを覆いながら両帯体３を中央で結ぶ。これにより、帯体３は、切り欠きライン９の下縁９ｂを通って妊婦の下腹部を下から覆った状態で、その左右両端がズボン１の側面に固定された状態となるから、前記第１実施例同様、帯体３によって妊婦の膨出した腹部を下から支えることができる。
【００５８】
また、腹部布２を、他の主要部分を構成する布と同じ絹織物で構成するようにしたから、腹部だけが全体から浮いた感じとなることが無く、更に、腹部布２を上の方まで延ばして上半身銅部１６の一部を構成するようにしたから、上半身部分と腹部布２との間に切り替えが存在しない分、腹部布２がより一層自然な形で存在することとなる。
【００５９】
なお、イブニングドレス１７を着用する妊婦の腹部の膨出量に合わせてギャザー５を設けることにより、腹部を圧迫しないという点も、前記第１実施例と同様である。
【００６０】
図６は本考案のマタニティウェアの第２実施形態であるズボンを帯体を除いて示す全体正面図であり、図７は同上側面図である。図６、７に示すズボン１８は通常のズボンと同様、ウエスト部６と、その下に位置する脚部７とを基本構成として、腰部から股下を含んで脚部までを着用範囲とするものであり、前記第１及び第２実施例同様に、腹部に略Ｕ字形の切り欠きライン９を設けるが、前記第１及び第２実施例とは異なり、腹部布２は配置せず、従って、腹部を覆わない構成となっている。
【００６１】
切り欠きライン９は、下向きに円弧を描きながらズボン１８の左右両側に存在する脇線７ａよりもやや後ろ側の端部６ａまで延び、略Ｕ字形にズボン１８の腹部を切り欠いて形成する。これにより、ズボン１８の脚部７の前面上端は円弧状に切り欠かれた状態となり、ウエスト部６は背面の端部６ａ間のみに存在し、ズボン１８の脚部７の背面上端はウエスト部６の下端を縫いつけた状態となる。
【００６２】
そして、切り欠きライン９の端部６ａよりもやや後ろ側に、ベルト通し１９を設ける。なお、ベルト通し１９の大きさは、後述の帯体が通るよう、帯体の幅に合わせたものとする。
【００６３】
ズボン１８のベルト通し１９に通す帯体を図８に示す。帯体２４は方形のスカーフ２５の内部に全体として同一幅の平板状の芯材２６を配置し、芯材２６を巻き込みながら対角に向かってスカーフ２５を折ることにより構成する。芯材２６の長さは、帯体２６を妊婦の腰部の背面から下腹部に巻き回して折り込んだり結ぶなどする際に邪魔にならない程度に短めに設定するとともに、更に扱い易いように端を丸く面取りする。
【００６４】
このズボン１８を妊婦が着用した状態を図９に示す。ズボン１８の着用の際には、通常のズボンと同様に履いた後、帯体２４をベルト通し１９（図９において不図示）に通して切り欠きライン９を覆いながら中央付近で折り込む。これにより帯体２４は、切り欠きライン９を通って妊婦の下腹部を下から覆った状態で固定するから、帯体２４によって妊婦の膨出した腹部を下から支えることができる。
【００６５】
なお、帯体２４に入れる芯材２６は、全体として同一幅の平板状としたが、芯材２６を覆う布を、一般的に装飾用として豊富なデザインのものが市販されているスカーフ２５により構成したから、帯体２４の見栄えを容易に良くして、帯体２４そのものをデザインの一部として積極的に見せる事ができる。また、帯体２４の折り方や結び方をアレンジすることによって様様な雰囲気を演出して楽しむことができる点については、前記第１及び第２実施例同様である。
【００６６】
また、積極的に見せるものとして構成する帯体２４の芯材２６について、その幅や厚みなどの形状や、材質を適宜選択することにより、下腹部をよりしっかりと支える機能性を追及しながら、デザイン的にもバリエーションを持たせることができる。
【００６７】
更に、帯体はスカーフではなく、衣料用のベルトにより構成するようにしても良い。衣料用のベルトはスカーフ同様、装飾用として豊富なデザインのものが市販されており、太さも様様なものが存在する。これらスカーフや衣料用のベルトを使用することにより、帯体を別途設計・製作しなくても、デザイン性に優れるマタニティウェアとしてのズボン１８を手軽に実現することができる。
【００６８】
そしてズボン１８は、腹部の切り欠いた部分（切り欠き部）を覆わないようにしたから、衣服によって腹部が上から圧迫されてしまうことが全く無い。なお、ズボン１８のウエスト部（図９において不図示）は後ろ側にしか存在しないことから、サスペンダー２７を組み合わせてズボン１８を吊り上げるようにしても良い。このとき、サスペンダー２７は腹部の膨出部分にかからないように装着する。
【００６９】
このズボン１８は、腹部以外の部分に特に余分な余裕を持たせることなく、膨出する腹部をそのまま露出するようにしたから、ズボン１８全体として妊婦の体のラインに沿った形状となり、妊婦が実際よりも太って見えるなど見栄えが悪くなることもなく、マタニティウェアの特徴的部分である帯体２４の存在と合わせて、ズボン１８の着用者が妊娠していることを周囲の人々に自然にアピールすることができる。
【図面の簡単な説明】
【００７０】
【図１】本考案のマタニティウェアの第１実施形態であるズボンを示す全体正面図である。
【図２】本考案のマタニティウェアの第１実施形態であるズボンを帯体を除いて示す側面図である。
【図３】本考案のマタニティウェアの第１実施形態であるズボンを妊婦が着用した状態を示す正面図である。
【図４】本考案のマタニティウェアの第２実施形態であるイブニングドレスを示す全体正面図である。
【図５】本考案のマタニティウェアの第２実施形態であるイブニングドレスを妊婦が着用した状態を示す正面図である。
【図６】本考案のマタニティウェアの第３実施形態であるズボンを帯体を除いて示す正面図である。
【図７】本考案のマタニティウェアの第３実施形態であるズボンを帯体を除いて示す側面図である。
【図８】本考案のマタニティウェアの第３実施形態に使用する帯体の正面図である。
【図９】本考案のマタニティウェアの第３実施形態であるズボンを妊婦が着用した状態を示す正面図である。
【図１０】従来のマタニティウェアの第１例を示す全体側面図である。
【図１１】従来のマタニティウェアの第２例を示す全体正面図である。
【図１２】従来のマタニティウェアの第２例の要部を示す側面図である。
【図１３】従来のマタニティウェアの第３例を示す全体斜視図である。
【図１４】従来のマタニティウェアの第３例の補助腹帯を示す正面図である。
【符号の説明】
【００７１】
１  ズボン                      ２  腹部布
３  帯体                        ４  芯材
５  ギャザー                    ６  ウエスト部
６ａ  端部                      ７  脚部
７ａ  脇線                      ８  帯体取り付け部
９  切り欠きライン              ９ａ  側縁
９ｂ  下縁                      １０  ガードル本体
１１  補助腹帯                  １２  ガードル本体布
１３  袖部                      １４  脚部
１５  マチ布                    １６  上半身胴部
１７  イブニングドレス          １８  ズボン
１９  ベルト通し                ２０  腹部布
２１  前側帯部                  ２２  後側支持帯部
２３  後側支持帯部              ２４  帯体
２５  スカーフ                  ２６  芯材
２７  サスペンダー              ３０  雄係合布
６０Ａ  パンティ部              ６１  編物地部分
６１ａ  ウエスト部              ６２  股部
６３  区画部                    ８１  周縁部
８２  内側部分                  ８２ａ  ギャザー
８３  編地片                    ８４  腰部に当たる領域
２００Ａ  右半身編物            ２００Ｂ  左半身編物
３００  マタニティパンティストッキング
【図１】
0003109414.tif 000003
【図２】
0003109414.tif 000004
【図３】
0003109414.tif 000005
【図４】
0003109414.tif 000006
【図５】
0003109414.tif 000007
【図６】
0003109414.tif 000008
【図７】
0003109414.tif 000009
【図８】
0003109414.tif 000010
【図９】
0003109414.tif 000011
【図１０】
0003109414.tif 000012
【図１１】
0003109414.tif 000013
【図１２】
0003109414.tif 000014
【図１３】
0003109414.tif 000015
【図１４】
0003109414.tif 000016